(57)【要約】【課題】  コンピュータシステムの構成品の確認作業、リビジョンチェック作業は人手で行われており、工数が掛かるばかりでなく確認ミスが発生することもあった。【解決手段】  予め、各部品に対し、部品情報とリビジョンを記録した無線タグ４１，５１，６１，７１を付加し、コンピュータ筐体１等にシステムＩＤを記録した無線タグ３を付加しておき、ＤＢ作成手段１４が構成要件として、必要な部品の情報と、各部品のリビジョンの相互関係情報をそれぞれ構成品リストＤＢ１１、リビジョンＤＢ１２として作成しておき、コンピュータの組み立て後に、構成品確認手段１５が各組立て部品の情報、システムＩＤをセンサー２を通じ読み取り、読み取られた組立て部品の情報と、構成品リストＤＢ１１のシステムＩＤに対応の構成情報とを照合し、一致を確認し、リビジョン情報の相互関係のチェックも行う。【選択図】      図１
2006268128.tif 000002
【特許請求の範囲】
【請求項１】
コンピュータシステム毎の必要な部品情報と数量を含む構成情報を構成品リストデータベースとして記憶する手順と、
コンピュータシステムの組み立て後に、各組み立て部品に付加された無線タグ、コンピュータシステムの筐体に付加された無線タグのそれぞれから部品情報、システムＩＤを読み取る手順と、
読み取られた部品情報と、構成品リストデータベースに記憶されている、前記読み取られたシステムＩＤ対応の構成情報とを突き合わせ、これらが一致することを確認する手順と、
確認結果を出力する手順とを含むことを特徴とする無線タグを用いたコンピュータシステムの構成品確認方法。
【請求項２】
コンピュータシステム毎の必要な部品情報と数量を含む構成情報を構成品リストデータベースとして記憶する手順と、
各部品のリビジョンの相互関係について、可とする組み合わせをリビジョンデータベースとして記憶する手順と、
コンピュータシステムの組み立て後に、各組み立て部品に付加された無線タグ、コンピュータシステムの筐体に付加された無線タグのそれぞれから部品情報とそのリビジョン情報、システムＩＤを読み取る手順と、
読み取られた部品情報と、構成品リストデータベースに記憶されている、前記読み取られたシステムＩＤ対応の構成情報とを突き合わせ、これらの一致を確認する手順と、
読み取られた部品情報とそのリビジョンと、前記リビジョンデータベースの組み合わせ情報を突き合わせ、読み取られた各部品のリビジョンが、可とする相互関係であることを確認する手順と、
前記一致の確認結果を出力する手順と、
前記リビジョンの確認結果を出力する手順とを含むことを特徴とする無線タグを用いたコンピュータシステムの構成品確認方法。
【発明の詳細な説明】
【技術分野】
【０００１】
本発明は無線タグを用いたコンピュータシステムの構成品確認方法に関する。
【背景技術】
【０００２】
コンピュータシステムは顧客のシステム構成要件により、ＣＰＵやＩ／Ｏカードの搭載種類と数量が異なっており、その構成要件に従いコンピュータ筐体に組み立て部品を搭載し、出荷前にその搭載部品に過不足がないかどうかを確認する必要がある。
【０００３】
しかし、その確認作業は目視等の人手作業に頼っている。
【０００４】
また、コンピュータが動作するためには、各組み立て部品のリビジョンがそれぞれ問題のない相互関係になっているかどうかも確認する必要があり、煩雑な確認作業が入ることとなる。
【０００５】
更にコンピュータシステムは大規模化しており、システム構築するための組み立て部品の数量も増えてきている。
【０００６】
よって、システムを組み立てた後に間違いなく組み立てられているかどうかを確認する作業も増加している。
【発明の開示】
【発明が解決しようとする課題】
【０００７】
上記確認作業は目視等の人手作業に頼っているので、確認ミスが発生することもあるという課題がある。
【０００８】
また、確認作業に工数がかかるという課題もある。
【０００９】
ここで、これらの課題を解決するにあたり、無線タグを利用すれば、無線タグは非常に安価なため投資費用を少なくできる。
【００１０】
本発明の目的は、上記課題を解決する無線タグを用いたコンピュータシステムの構成品確認方法を提供することにある。
【課題を解決するための手段】
【００１１】
本発明の第１の無線タグを用いたコンピュータシステムの構成品確認方法は、コンピュータシステム毎の必要な部品情報と数量を含む構成情報を構成品リストデータベースとして記憶する手順と、コンピュータシステムの組み立て後に、各組み立て部品に付加された無線タグ、コンピュータシステムの筐体に付加された無線タグのそれぞれから部品情報、システムＩＤを読み取る手順と、読み取られた部品情報と、構成品リストデータベースに記憶されている、前記読み取られたシステムＩＤ対応の構成情報とを突き合わせ、これらが一致することを確認する手順と、確認結果を出力する手順とを含むことを特徴とする。
【００１２】
本発明の第２の無線タグを用いたコンピュータシステムの構成品確認方法は、コンピュータシステム毎の必要な部品情報と数量を含む構成情報を構成品リストデータベースとして記憶する手順と、各部品のリビジョンの相互関係について、可とする組み合わせをリビジョンデータベースとして記憶する手順と、コンピュータシステムの組み立て後に、各組み立て部品に付加された無線タグ、コンピュータシステムの筐体に付加された無線タグのそれぞれから部品情報とそのリビジョン情報、システムＩＤを読み取る手順と、読み取られた部品情報と、構成品リストデータベースに記憶されている、前記読み取られたシステムＩＤ対応の構成情報とを突き合わせ、これらの一致を確認する手順と、読み取られた部品情報とそのリビジョンと、前記リビジョンデータベースの組み合わせ情報を突き合わせ、読み取られた各部品のリビジョンが、可とする相互関係であることを確認する手順と、前記一致の確認結果を出力する手順と、前記リビジョンの確認結果を出力する手順とを含むことを特徴とする。
【発明の効果】
【００１３】
本発明によれば、無線タグを利用してコンピュータシステムの組み立て部品が過不足なく搭載されているか容易に確認でき、また各組み立て部品のリビジョン関係で問題なくコンピュータが動作可能かどうかの判断も容易となる。
【発明を実施するための最良の形態】
【００１４】
次に、本発明を実施するための最良の形態について図面を参照して詳細に説明する。
【００１５】
図１は本発明の全体構成を示すブロック図である。図１を参照し、コンピュータ筐体１にセンサー２を搭載する。
【００１６】
コンピュータ筐体自身にはシステムＩＤの情報を付加した無線タグ３を貼り付ける。
【００１７】
組み立て部品であるＣＰＵ４、ＭＥＭ５、Ｉ／Ｏカード（Ａ）６、Ｉ／Ｏカード（Ｂ）７のそれぞれに、部品情報、そのリビジョンを記録した無線タグ４１、５１、６１、７１を貼り付け等により付加する。
【００１８】
無線タグの付加や、記録は部品が完成時、或いは部品がコンピュータに組み込まれるより前の単体の段階で行う。
【００１９】
処理装置１３は、パーソナルコンピュータや端末、或いは携帯端末であり、プログラム制御で動作する。
【００２０】
処理装置１３にはセンサ２、データベース記憶部１０、出力装置１６が直接或いは通信手段により接続されている。
【００２１】
処理装置１３は、ＤＢ（データベース）作成手段１４，構成品確認手段１５を含む。これら手段は、好適には、処理装置１３のメモリに展開されＣＰＵに実行されるプログラムにより実現する。
【００２２】
処理装置１３のＤＢ作成手段１４が予めデータベース記憶部１０に、構成品リストＤＢ１１、リビジョンＤＢ１２を作成する。
【００２３】
構成品リストＤＢ１１には、コンピュータのシステム要件としての組み立て部品の部品内容とその数量のリスト（構成情報）を記憶させておく。
【００２４】
また、リビジョンＤＢ１２には、組み立て部品のリビジョン相互関係（可とする組み合わせ、或いは不可とする組み合わせ）を示すデータを記憶させる。
【００２５】
次に、本発明を実施するための最良の形態の動作について図１を参照して説明する。
【００２６】
処理装置１３のＤＢ作成手段１４が予めデータベース記憶部１０に、構成品リストＤＢ１１、リビジョンＤＢ１２を作成する（ステップ１）。
【００２７】
構成品確認手段１５がコンピュータ筐体１に搭載されたセンサー２を通じ、その筐体内に搭載されている組み立て部品の製品情報と数量を読み取る（ステップ２）。
【００２８】
また構成品確認手段１５がコンピュータ筐体１自身に搭載した無線タグ３に記録されているシステムＩＤ（識別）もセンサー２を通じ読み取る（ステップ３）。
【００２９】
構成品確認手段１５が、前記読み取られたシステムＩＤをキーとして構成品リストＤＢ１１にアクセスし、システムＩＤに対応している構成情報を取得し、センサー２により読み取られたデータにリンクし（ステップ４）、センサー２で読み取られた実際の組み立て部品の内容と、構成品リストＤＢ１１の内容（構成品リスト）とで過不足のチェック（一致チェック）を実行する（ステップ５）。
【００３０】
また、リビジョンＤＢ１２を参照し（ステップ６）、読み取られた各組み立て部品のそれぞれのリビジョン関係に問題がないかどうかのチェックを実行する（ステップ７）。
【００３１】
構成品確認手段１５は、構成品の一致チェック結果（一致／過不足情報）、リビジョンチェック結果（問題無し／リビジョンＤＢに登録されおらず確認されなかった部品名・リビジョンの組み合わせ）の出力を出力装置１６に指示する（ステップ８）。
【産業上の利用可能性】
【００３２】
本発明は、コンピュータシステムのシステム組み立て、検査を実施している工場等で利用できる。
【図面の簡単な説明】
【００３３】
【図１】本発明の全体構成を示すブロック図
【符号の説明】
【００３４】
１    コンピュータ筐体
２    センサー
３    無線タグ
４    ＣＰＵ
５    ＭＥＭ
６    Ｉ／Ｏカード（Ａ）
７    Ｉ／Ｏカード（Ｂ）
１０    データベース記憶部
１１    構成品リストＤＢ
１２    リビジョンＤＢ
１３    処理装置
１４    ＤＢ作成手段
１５    構成品確認手段
１６    出力装置
４１、５１、６１、７１    無線タグ
【図１】
2006268128.tif 000003